【手続補正書】
【提出日】平成17年4月25日(2005.4.25)
【手続補正１】
【補正対象書類名】明細書
【補正対象項目名】発明の名称
【補正方法】変更
【補正の内容】
【発明の名称】画像情報符号化方法、装置およびプログラム、画像情報復号方法、並びに装置およびプログラム
【手続補正２】
【補正対象書類名】明細書
【補正対象項目名】特許請求の範囲
【補正方法】変更
【補正の内容】
【特許請求の範囲】
【請求項１】
入力画像信号をブロック化し、前記ブロックを単位として直交変換を施して量子化を行う画像情報符号化方法において、
前記量子化が行われる場合に、量子化ステップサイズに応じて所定の規則で配列された数列の１つの値を指定するためのパラメータＱＰを用い、直交変換係数の成分毎に、前記パラメータＱＰの加算処理による重み付けを行って量子化する  ことを特徴とする画像情報符号化方法。
【請求項２】
前記量子化ステップサイズに対応する数列として、前記パラメータＱＰの値が１増加する毎にα％増減する配列A（QP)を用い、
前記量子化が行われる場合、前記配列A（QP)の値に直交変換係数Ｋを乗算した値を量子化する
ことを特徴とする請求項１に記載の画像情報符号化方法。
【請求項３】
前記直交変換単位となるブロックはｎ×ｎ画素からなり、
前記量子化が行われる場合、前記ブロックの各成分のそれぞれに対応する前記パラメータＱＰの配列に対して、前記重み付けのための配列Ｗ（ｉ，ｊ）を加算して得られたパラメータＱＱＰ（ｉ，ｊ）に基づいて重み付け量子化を行う
ことを特徴とする請求項１に記載の画像情報符号化方法。
【請求項４】
前記入力画像信号の直交変換が行われる場合、前記入力画像信号を第１のブロックにブロック化し、前記第１のブロックを単位として第１の直交変換を施し、
得られた直交変換係数のＤＣ成分のみからなる第２のブロックを構成して、前記第２のブロックに対して第２の直交変換を施し、
前記量子化が行われる場合、量子化ステップサイズに応じて所定の規則で配列された数列の１つの値を指定するためのパラメータＱＰを用い、直交変換係数の成分毎に、前記パラメータＱＰの加算処理によって、前記第１の直交変換後のＡＣ成分の係数と前記第２の直交変換後のＤＣ成分の係数とに対して異なる重み付けを行って量子化する
ことを特徴とする請求項１に記載の画像情報符号化方法。
【請求項５】
前記第２の直交変換の単位となる前記第２のブロックは、輝度信号についてはｎ×ｎ画素、色差信号についてはｍ×ｍ画素からなり、
前記量子化が行われる場合、輝度信号および色差信号のブロックの各成分のそれぞれに対応する前記パラメータＱＰの配列に対して、それぞれ重み付けのための配列Ｗluma_DC（ｉ，ｊ）、配列Wchroma_DC（ｉ，ｊ）を加算して得られたパラメータＱＱＰ（ｉ，ｊ）に基づいて重み付け量子化を行う
ことを特徴とする請求項４に記載の画像情報符号化方法。
【請求項６】
入力画像信号をブロック化し、前記ブロックを単位として直交変換を施して量子化を行う画像情報符号化装置において、
前記量子化が行われる場合、量子化ステップサイズに応じて所定の規則で配列された数列の１つの値を指定するためのパラメータＱＰを用い、直交変換係数の成分毎に、前記パラメータＱＰの加算処理による重み付けを行って量子化する量子化手段
を備えることを特徴とする画像情報符号化装置。
【請求項７】
前記量子化ステップサイズに対応する数列として、前記パラメータＱＰの値が１増加する毎にα％増減する配列A（QP)を用い、
前記量子化が行われる場合、前記配列A（QP）の値に直交変換係数Ｋを乗算した値を量子化する
ことを特徴とする請求項６に記載の画像情報符号化装置。
【請求項８】
前記入力画像信号の直交変換が行われる場合、前記入力画像信号を第１のブロックにブロック化し、前記第１のブロックを単位として第１の直交変換を施し、
得られた直交変換係数のＤＣ成分のみからなる第２のブロックを構成して、前記第２のブロックに対して第２の直交変換を施し、
前記量子化手段は、量子化ステップサイズに応じて所定の規則で配列された数列の１つの値を指定するためのパラメータＱＰを用い、直交変換係数の成分毎に、前記パラメータＱＰの加算処理によって、前記第１の直交変換後のＡＣ成分の係数と前記第２の直交変換後のＤＣ成分の係数とに対して異なる重み付けを行って量子化する
ことを特徴とする請求項６に記載の画像情報符号化装置。
【請求項９】
前記第２の直交変換の単位となる前記第２のブロックは、輝度信号についてはｎ×ｎ画素、色差信号についてはｍ×ｍ画素からなり、
前記量子化が行われる場合、輝度信号および色差信号のブロックの各成分のそれぞれに対応する前記パラメータＱＰの配列に対して、それぞれ重み付けのための配列Ｗluma_DC（ｉ，ｊ）、配列Wchroma_DC（ｉ，ｊ）を加算して得られたパラメータＱＱＰ（ｉ，ｊ）に基づいて重み付け量子化を行う
ことを特徴とする請求項８に記載の画像情報符号化装置。
【請求項１０】
入力画像信号をブロック化し、前記ブロックを単位として直交変換を施して量子化をコンピュータに実行させる画像情報符号化プログラムにおいて、
前記量子化が行われる場合、量子化ステップサイズに応じて所定の規則で配列された数列の１つの値を指定するためのパラメータＱＰを用い、直交変換係数の成分毎に、前記パラメータＱＰの加算処理による重み付けを行って量子化する
ことを特徴とする画像情報符号化プログラム。
【請求項１１】
入力画像信号をブロック化し、前記ブロックを単位として直交変換を施して量子化された画像圧縮情報を逆量子化し、逆直交変換を施して復号する画像情報復号方法において、
前記逆量子化が行われる場合、量子化ステップサイズに応じて所定の規則で配列された数列の１つの値を指定するためのパラメータＱＰを用い、量子化係数の成分毎に、前記パラメータＱＰの加算処理による重み付けを行って逆量子化する
ことを特徴とする画像情報復号方法。
【請求項１２】
前記量子化ステップサイズに対応する数列として、前記パラメータＱＰの値が１増加する毎にβ％増減する配列B（QP）を用い、
前記逆量子化が行われる場合、前記配列B（QP）の値に量子化係数を乗算して逆量子化する
ことを特徴とする請求項１１に記載の画像情報復号方法。
【請求項１３】
前記ブロックはｎ×ｎ画素からなり、
前記逆量子化が行われる場合、前記ブロックの各成分のそれぞれに対応する前記パラメータＱＰの配列に対して、前記重み付けのための配列Ｗ（ｉ，ｊ）を加算して得られたパラメータＱＱＰ（ｉ，ｊ）に基づいて重み付け逆量子化を行う
ことを特徴とする請求項１１に記載の画像情報復号方法。
【請求項１４】
前記入力画像信号の直交変換が行われる場合、入力画像信号を第１のブロックでブロック化し、前記第１のブロックを単位として第１の直交変換を施し、
得られた直交変換係数のＤＣ成分の係数のみからなる第２のブロックを構成し、前記第２のブロックに対して第２の直交変換を施し、
前記量子化が行われる場合、量子化ステップサイズに応じて所定の規則で配列された数列の１つの値を指定するためのパラメータＱＰを用い、直交変換係数の成分毎に、前記パラメータＱＰの加算処理によって、前記直交変換後のＡＣ成分の係数と前記第２の直交変換後のＤＣ成分の係数とに対して異なる重み付けを行って量子化されており、
前記逆量子化が行われる場合、前記量子化されたＡＣ成分の係数と前記第２の直交変換後に量子化されたＤＣ成分の係数とに対して前記量子化における重み付けに対応するそれぞれ異なる重み付けを行って逆量子化する
ことを特徴とする請求項１１に記載の画像情報復号方法。
【請求項１５】
前記第２の直交変換の単位となる前記第２のブロックは、輝度信号についてはｎ×ｎ画素、色差信号についてはｍ×ｍ画素からなり、
前記逆量子化が行われる場合、輝度信号および色差信号のブロックの各成分のそれぞれに対応する前記パラメータＱＰの配列に対して、それぞれ重み付けのための配列Ｗluma_DC（ｉ，ｊ）、配列Wchroma_DC（ｉ，ｊ）を加算して得られたパラメータＱＱＰ（ｉ，ｊ）に基づいて重み付け逆量子化を行う
ことを特徴とする請求項１４に記載の画像情報復号方法。
【請求項１６】
入力画像信号をブロック化し、前記ブロックを単位として直交変換を施して量子化された画像圧縮情報を逆量子化し、逆直交変換を施して復号する画像情報復号装置において、
前記逆量子化が行われる場合、量子化ステップサイズに応じて所定の規則で配列された数列の１つの値を指定するためのパラメータＱＰを用い、量子化係数の成分毎に、前記パラメータＱＰの加算処理による重み付けを行って逆量子化する逆量子化手段
を備えることを特徴とする画像情報復号装置。
【請求項１７】
前記量子化ステップサイズに対応する数列として、前記パラメータＱＰの値が１増加する毎にβ％増減する配列B（QP）を用い、
前記逆量子化が行われる場合、前記配列B（QP）の値に量子化係数を乗算して逆量子化する
ことを特徴とする請求項１６に記載の画像情報復号装置。
【請求項１８】
前記入力画像信号の直交変換が行われる場合、入力画像信号を第１のブロックでブロック化し、前記第１のブロックを単位として第１の直交変換を施し、
得られた直交変換係数のＤＣ成分の係数のみからなる第２のブロックを構成し、前記第２のブロックに対して第２の直交変換を施し、
前記量子化が行われる場合、量子化ステップサイズに応じて所定の規則で配列された数列の１つの値を指定するためのパラメータＱＰを用い、直交変換係数の成分毎に、前記パラメータＱＰの加算処理によって、前記直交変換後のＡＣ成分の係数と前記第２の直交変換後のＤＣ成分の係数とに対して異なる重み付けを行って量子化されており、
前記逆量子化手段は、前記量子化されたＡＣ成分の係数と前記第２の直交変換後に量子化されたＤＣ成分の係数とに対して前記量子化における重み付けに対応するそれぞれ異なる重み付けを行って逆量子化する
ことを特徴とする請求項１６に記載の画像情報復号装置。
【請求項１９】
前記第２の直交変換の単位となる前記第２のブロックは、輝度信号についてはｎ×ｎ画素、色差信号についてはｍ×ｍ画素からなり、前記逆量子化手段は、輝度信号および色差信号のブロックの各成分のそれぞれに対応する前記パラメータＱＰの配列に対して、それぞれ重み付けのための配列Ｗluma_DC（ｉ，ｊ）、配列Wchroma_DC（ｉ，ｊ）を加算して得られたパラメータＱＱＰ（ｉ，ｊ）に基づいて重み付け逆量子化を行う
ことを特徴とする請求項１８に記載の画像情報復号装置。
【請求項２０】
入力画像信号をブロック化し、前記ブロックを単位として直交変換を施して量子化された画像圧縮情報を逆量子化し、逆直交変換を施して復号する処理をコンピュータに実行させる画像情報復号プログラムにおいて、
前記逆量子化が行われる場合、量子化ステップサイズに応じて所定の規則で配列された数列の１つの値を指定するためのパラメータＱＰを用い、量子化係数の成分毎に、前記パラメータＱＰの加算処理による重み付けを行って逆量子化する
ことを特徴とする画像情報復号プログラム。
【手続補正３】
【補正対象書類名】明細書
【補正対象項目名】０００１
【補正方法】変更
【補正の内容】
【０００１】
【発明の属する技術分野】
本発明は、ＭＰＥＧ（Moving Picture Experts Group）、Ｈ．２６ｘなどの様に、離散コサイン変換またはカルーネンレーベ変換等の直交変換と動き補償とによって圧縮された画像情報（ビットストリーム）を、衛星放送、ケーブルテレビジョン若しくはインターネット等のネットワークメディアを介して受信する場合に、または光ディスク、磁気ディスク若しくはフラッシュメモリ等の記憶メディア上で処理する場合に用いられる画像情報符号化方法、その装置およびプログラム、画像情報復号方法、並びにその装置およびプログラムに関するものである。
【手続補正４】
【補正対象書類名】明細書
【補正対象項目名】００６６
【補正方法】削除
【補正の内容】
【手続補正５】
【補正対象書類名】明細書
【補正対象項目名】００６７
【補正方法】削除
【補正の内容】
【手続補正６】
【補正対象書類名】明細書
【補正対象項目名】００６８
【補正方法】削除
【補正の内容】
【手続補正７】
【補正対象書類名】明細書
【補正対象項目名】００６９
【補正方法】削除
【補正の内容】
【手続補正８】
【補正対象書類名】明細書
【補正対象項目名】００７０
【補正方法】削除
【補正の内容】
【手続補正９】
【補正対象書類名】明細書
【補正対象項目名】００７１
【補正方法】削除
【補正の内容】
【手続補正１０】
【補正対象書類名】明細書
【補正対象項目名】００７２
【補正方法】削除
【補正の内容】
【手続補正１１】
【補正対象書類名】明細書
【補正対象項目名】００７３
【補正方法】削除
【補正の内容】
【手続補正１２】
【補正対象書類名】明細書
【補正対象項目名】００７４
【補正方法】削除
【補正の内容】
【手続補正１３】
【補正対象書類名】明細書
【補正対象項目名】００７５
【補正方法】削除
【補正の内容】
【手続補正１４】
【補正対象書類名】明細書
【補正対象項目名】００７６
【補正方法】削除
【補正の内容】
【手続補正１５】
【補正対象書類名】明細書
【補正対象項目名】００７９
【補正方法】削除
【補正の内容】
【手続補正１６】
【補正対象書類名】明細書
【補正対象項目名】００８０
【補正方法】削除
【補正の内容】
【手続補正１７】
【補正対象書類名】明細書
【補正対象項目名】００８１
【補正方法】削除
【補正の内容】
【手続補正１８】
【補正対象書類名】明細書
【補正対象項目名】００８２
【補正方法】削除
【補正の内容】
【手続補正１９】
【補正対象書類名】明細書
【補正対象項目名】００８３
【補正方法】削除
【補正の内容】
【手続補正２０】
【補正対象書類名】明細書
【補正対象項目名】００８４
【補正方法】削除
【補正の内容】
【手続補正２１】
【補正対象書類名】明細書
【補正対象項目名】００８５
【補正方法】削除
【補正の内容】
【手続補正２２】
【補正対象書類名】明細書
【補正対象項目名】００８６
【補正方法】削除
【補正の内容】
【手続補正２３】
【補正対象書類名】明細書
【補正対象項目名】００８７
【補正方法】削除
【補正の内容】
【手続補正２４】
【補正対象書類名】明細書
【補正対象項目名】００８８
【補正方法】削除
【補正の内容】
【手続補正２５】
【補正対象書類名】明細書
【補正対象項目名】００８９
【補正方法】削除
【補正の内容】
【手続補正２６】
【補正対象書類名】明細書
【補正対象項目名】００９１
【補正方法】削除
【補正の内容】
【手続補正２７】
【補正対象書類名】明細書
【補正対象項目名】００９２
【補正方法】削除
【補正の内容】
【手続補正２８】
【補正対象書類名】明細書
【補正対象項目名】００９３
【補正方法】削除
【補正の内容】
【手続補正２９】
【補正対象書類名】明細書
【補正対象項目名】００９４
【補正方法】削除
【補正の内容】
【手続補正３０】
【補正対象書類名】明細書
【補正対象項目名】００９５
【補正方法】削除
【補正の内容】
【手続補正３１】
【補正対象書類名】明細書
【補正対象項目名】００９６
【補正方法】削除
【補正の内容】
【手続補正３２】
【補正対象書類名】明細書
【補正対象項目名】００９７
【補正方法】削除
【補正の内容】
【手続補正３３】
【補正対象書類名】明細書
【補正対象項目名】００９８
【補正方法】削除
【補正の内容】
【手続補正３４】
【補正対象書類名】明細書
【補正対象項目名】００９９
【補正方法】削除
【補正の内容】
【手続補正３５】
【補正対象書類名】明細書
【補正対象項目名】０１００
【補正方法】削除
【補正の内容】
【手続補正３６】
【補正対象書類名】明細書
【補正対象項目名】０１０１
【補正方法】削除
【補正の内容】
【手続補正３７】
【補正対象書類名】明細書
【補正対象項目名】０１０２
【補正方法】削除
【補正の内容】
【手続補正３８】
【補正対象書類名】明細書
【補正対象項目名】０１０４
【補正方法】削除
【補正の内容】
【手続補正３９】
【補正対象書類名】明細書
【補正対象項目名】０１０７
【補正方法】削除
【補正の内容】
【手続補正４０】
【補正対象書類名】明細書
【補正対象項目名】０１０８
【補正方法】削除
【補正の内容】
【手続補正４１】
【補正対象書類名】明細書
【補正対象項目名】０１０９
【補正方法】削除
【補正の内容】
【手続補正４２】
【補正対象書類名】明細書
【補正対象項目名】０１１０
【補正方法】削除
【補正の内容】
【手続補正４３】
【補正対象書類名】明細書
【補正対象項目名】０１１１
【補正方法】削除
【補正の内容】
【手続補正４４】
【補正対象書類名】明細書
【補正対象項目名】０１１２
【補正方法】削除
【補正の内容】
【手続補正４５】
【補正対象書類名】明細書
【補正対象項目名】０１１３
【補正方法】削除
【補正の内容】
【手続補正４６】
【補正対象書類名】明細書
【補正対象項目名】０１１４
【補正方法】削除
【補正の内容】
【手続補正４７】
【補正対象書類名】明細書
【補正対象項目名】０１１５
【補正方法】削除
【補正の内容】
【手続補正４８】
【補正対象書類名】明細書
【補正対象項目名】０１１６
【補正方法】削除
【補正の内容】
【手続補正４９】
【補正対象書類名】明細書
【補正対象項目名】０１１７
【補正方法】削除
【補正の内容】
【手続補正５０】
【補正対象書類名】明細書
【補正対象項目名】０１２０
【補正方法】削除
【補正の内容】
【手続補正５１】
【補正対象書類名】明細書
【補正対象項目名】０１２１
【補正方法】削除
【補正の内容】
【手続補正５２】
【補正対象書類名】明細書
【補正対象項目名】０１２２
【補正方法】削除
【補正の内容】
【手続補正５３】
【補正対象書類名】明細書
【補正対象項目名】０１２３
【補正方法】削除
【補正の内容】
【手続補正５４】
【補正対象書類名】明細書
【補正対象項目名】０１２４
【補正方法】削除
【補正の内容】
【手続補正５５】
【補正対象書類名】明細書
【補正対象項目名】０１２５
【補正方法】削除
【補正の内容】
【手続補正５６】
【補正対象書類名】明細書
【補正対象項目名】０１２６
【補正方法】削除
【補正の内容】
【手続補正５７】
【補正対象書類名】明細書
【補正対象項目名】０１２７
【補正方法】削除
【補正の内容】
【手続補正５８】
【補正対象書類名】明細書
【補正対象項目名】０１２８
【補正方法】削除
【補正の内容】
【手続補正５９】
【補正対象書類名】明細書
【補正対象項目名】０１２９
【補正方法】削除
【補正の内容】
【手続補正６０】
【補正対象書類名】明細書
【補正対象項目名】０１３０
【補正方法】削除
【補正の内容】
【手続補正６１】
【補正対象書類名】明細書
【補正対象項目名】０１３２
【補正方法】削除
【補正の内容】
【手続補正６２】
【補正対象書類名】明細書
【補正対象項目名】０１３３
【補正方法】削除
【補正の内容】
【手続補正６３】
【補正対象書類名】明細書
【補正対象項目名】０１３４
【補正方法】削除
【補正の内容】
【手続補正６４】
【補正対象書類名】明細書
【補正対象項目名】０１３５
【補正方法】削除
【補正の内容】
【手続補正６５】
【補正対象書類名】明細書
【補正対象項目名】０１３６
【補正方法】削除
【補正の内容】
【手続補正６６】
【補正対象書類名】明細書
【補正対象項目名】０１３７
【補正方法】削除
【補正の内容】
【手続補正６７】
【補正対象書類名】明細書
【補正対象項目名】０１３８
【補正方法】削除
【補正の内容】
【手続補正６８】
【補正対象書類名】明細書
【補正対象項目名】０１３９
【補正方法】削除
【補正の内容】
【手続補正６９】
【補正対象書類名】明細書
【補正対象項目名】０１４０
【補正方法】削除
【補正の内容】
【手続補正７０】
【補正対象書類名】明細書
【補正対象項目名】０１４１
【補正方法】削除
【補正の内容】
【手続補正７１】
【補正対象書類名】明細書
【補正対象項目名】０１４２
【補正方法】削除
【補正の内容】
【手続補正７２】
【補正対象書類名】明細書
【補正対象項目名】０１４３
【補正方法】削除
【補正の内容】
【手続補正７３】
【補正対象書類名】明細書
【補正対象項目名】０１４５
【補正方法】削除
【補正の内容】
【手続補正７４】
【補正対象書類名】明細書
【補正対象項目名】０１４６
【補正方法】削除
【補正の内容】
【手続補正７５】
【補正対象書類名】明細書
【補正対象項目名】０１４７
【補正方法】削除
【補正の内容】
【手続補正７６】
【補正対象書類名】明細書
【補正対象項目名】０１４８
【補正方法】削除
【補正の内容】
【手続補正７７】
【補正対象書類名】明細書
【補正対象項目名】０１４９
【補正方法】削除
【補正の内容】
【手続補正７８】
【補正対象書類名】明細書
【補正対象項目名】０１５０
【補正方法】削除
【補正の内容】
【手続補正７９】
【補正対象書類名】明細書
【補正対象項目名】０１５１
【補正方法】削除
【補正の内容】
【手続補正８０】
【補正対象書類名】明細書
【補正対象項目名】０１５２
【補正方法】削除
【補正の内容】
【手続補正８１】
【補正対象書類名】明細書
【補正対象項目名】０１５３
【補正方法】削除
【補正の内容】
【手続補正８２】
【補正対象書類名】明細書
【補正対象項目名】０１５４
【補正方法】削除
【補正の内容】
【手続補正８３】
【補正対象書類名】明細書
【補正対象項目名】０１５５
【補正方法】削除
【補正の内容】
【手続補正８４】
【補正対象書類名】明細書
【補正対象項目名】０１５６
【補正方法】削除
【補正の内容】
【手続補正８５】
【補正対象書類名】明細書
【補正対象項目名】０１５７
【補正方法】削除
【補正の内容】
【手続補正８６】
【補正対象書類名】明細書
【補正対象項目名】０１５８
【補正方法】削除
【補正の内容】
【手続補正８７】
【補正対象書類名】明細書
【補正対象項目名】０１５９
【補正方法】削除
【補正の内容】
【手続補正８８】
【補正対象書類名】明細書
【補正対象項目名】０１６０
【補正方法】削除
【補正の内容】
【手続補正８９】
【補正対象書類名】明細書
【補正対象項目名】０１６１
【補正方法】削除
【補正の内容】
【手続補正９０】
【補正対象書類名】明細書
【補正対象項目名】０１６２
【補正方法】削除
【補正の内容】
【手続補正９１】
【補正対象書類名】明細書
【補正対象項目名】０１６３
【補正方法】削除
【補正の内容】
【手続補正９２】
【補正対象書類名】明細書
【補正対象項目名】０１６４
【補正方法】削除
【補正の内容】
【手続補正９３】
【補正対象書類名】明細書
【補正対象項目名】０１６５
【補正方法】削除
【補正の内容】
【手続補正９４】
【補正対象書類名】明細書
【補正対象項目名】０１６６
【補正方法】削除
【補正の内容】
【手続補正９５】
【補正対象書類名】明細書
【補正対象項目名】０１６７
【補正方法】削除
【補正の内容】
【手続補正９６】
【補正対象書類名】明細書
【補正対象項目名】０１６８
【補正方法】削除
【補正の内容】
【手続補正９７】
【補正対象書類名】明細書
【補正対象項目名】０１６９
【補正方法】削除
【補正の内容】
【手続補正９８】
【補正対象書類名】明細書
【補正対象項目名】０１７０
【補正方法】削除
【補正の内容】